(57)【要約】【課題】各無線端末からの信号の処理の確実性を向上する。【解決手段】無線基地局１は、無線端末２Ａ乃至２Ｄに割り当てられた上りタイムスロットを用いて、当該無線端末２Ａ乃至２Ｄから伝送される複数の信号を受信する。次に、無線基地局１は、受信信号に対応する受信データに含まれるユニークワードの時間位置と基準時間位置との差が所定範囲を超える場合には、遅延超過信号の送信元の無線端末に割り当てられている上りタイムスロットを拡張するとともに、当該拡張した上りタイムスロットが割り当てられている無線端末の上り通信方式と、当該拡張した上りタイムスロットと重複する上りタイムスロットが割り当てられている無線端末の上り通信方式とをＳＤＭＡに切り替える。【選択図】図１
2010177872.tif 000002
【特許請求の範囲】
【請求項１】
複数の無線端末との間で信号を伝送する無線基地局であって、
前記複数の無線端末に割り当てられた時分割多重の通信方式における上りタイムスロットを用いて伝送される複数の信号を受信する受信部と、
前記受信部により受信された前記複数の信号のうち、遅延量が前記無線基地局における信号処理の可能な範囲を超えた信号である遅延超過信号の送信元の前記無線端末に割り当てられている前記上りタイムスロットを拡張する拡張部と、
前記遅延超過信号の送信元の前記無線端末の通信方式と、前記拡張部により拡張された上りタイムスロットと重複する前記上りタイムスロットが割り当てられている前記無線端末の通信方式とを、空間分割多重に切り替える切替部と
を備える無線基地局。
【請求項２】
前記複数の無線端末の空間分割多重に関する情報を解析する情報解析部と、
前記情報解析部により解析された前記複数の無線端末の空間分割多重に関する情報に基づいて、前記切替部による前記空間分割多重への切り替えの可否を判定する判定部とを備える請求項１に記載の無線基地局。
【請求項３】
前記判定部は、前記空間分割多重への切り替えの対象となる２つ以上の前記無線端末が前記空間分割多重成立の条件を満たす場合に、前記切替部による前記空間分割多重への切り替えが可能であると判定する請求項２に記載の無線基地局。
【請求項４】
前記拡張部は、前記受信部により受信された前記複数の信号のうち、対応するデータに含まれるユニークワードの時間位置と基準位置との差が所定範囲を超える信号の送信元の前記無線端末に割り当てられている前記上りタイムスロットを拡張する請求項１乃至３の何れかに記載の無線基地局。
【請求項５】
複数の無線端末との間で信号を伝送する無線基地局における通信制御方法であって、
前記無線基地局が、前記複数の無線端末に割り当てられた時分割多重の通信方式における上りタイムスロットを用いて伝送される複数の信号を受信するステップと、
前記無線基地局が、受信された前記複数の信号のうち、遅延量が前記無線基地局における信号処理の可能な範囲を超えた信号である遅延超過信号の送信元の前記無線端末に割り当てられている前記上りタイムスロットを拡張するステップと、
前記無線基地局が、前記遅延超過信号の送信元の前記無線端末の通信方式と、前記拡張部により拡張された上りタイムスロットと重複する前記上りタイムスロットが割り当てられている前記無線端末の通信方式とを、空間分割多重に切り替えるステップと
を備える通信制御方法。
【発明の詳細な説明】
【技術分野】
【０００１】
本発明は、複数の無線端末との間で信号を伝送する無線基地局、及び、当該無線基地局における通信制御方法に関する。
【背景技術】
【０００２】
複数の無線端末と無線基地局との間で時分割複信（ＴＤＤ）及び時分割多重（ＴＤＭＡ）により通信を行う無線通信システムでは、各無線端末と無線基地局との距離は無線端末毎に異なる。このため、各無線端末に異なるタイムスロットを割り当てられているにもかかわらず、距離の違いにより発生する伝搬遅延によって、無線基地局が、各無線端末からのバースト信号を同時に受信してしまう場合がある。
【０００３】
このようなバースト信号の同時受信（衝突）を防止するために、例えば特許文献１及び特許文献２に記載された技術では、無線基地局が各無線端末へ衝突防止のための制御信号を送信する。各無線端末は、受信した制御信号に基づいて、バースト信号の送信タイミングを強制的に調整する。このような制御は、タイムアライメント制御と称される。
【先行技術文献】
【特許文献】
【０００４】
【特許文献１】特開２００１−１６９３４３号公報
【特許文献２】特開２００２−７７０８７号公報
【発明の概要】
【発明が解決しようとする課題】
【０００５】
しかしながら、無線端末が、無線基地局に対して近傍から遠方へ移動すると、上述のようなタイムアライメント制御を行っても、無線基地局によって受信されるバースト信号の時間位置が、無線基地局において信号処理の可能な範囲（受信ウィンドウ）の後側に外れる場合がある。このように、無線基地局における受信タイミングが極度に遅延したバースト信号が存在すると、無線基地局は、そのバースト信号の処理を正常に行うことが困難となる。
【０００６】
特に、ＰＨＳ（Personal Handy Phone System）の無線通信システムでは、マクロセル化に伴い、無線端末と無線基地局との距離の変化が大きいため、上述した信号処理が困難になる可能性が高い。
【０００７】
上記問題点に鑑み、本発明は、各無線端末からの信号の処理の確実性を向上させた無線基地局及び通信制御方法を提供することを目的とする。
【課題を解決するための手段】
【０００８】
上述した課題を解決するために、本発明は以下のような特徴を有している。まず、本発明の第１の側面は、複数の無線端末（無線端末２Ａ乃至２Ｄ）との間で信号を伝送する無線基地局（無線基地局１）であって、前記複数の無線端末に割り当てられた時分割多重の通信方式における上りタイムスロットを用いて伝送される複数の信号を受信する受信部（受信処理部１５２）と、前記受信部により受信された前記複数の信号のうち、遅延量が前記無線基地局における信号処理の可能な範囲を超えた信号である遅延超過信号の送信元の前記無線端末に割り当てられている前記上りタイムスロットを拡張する拡張部（通信方式切替部１６０）と、前記遅延超過信号の送信元の前記無線端末の通信方式と、前記拡張部により拡張された上りタイムスロットと重複する前記上りタイムスロットが割り当てられている前記無線端末の通信方式とを、空間分割多重に切り替える切替部（通信方式切替部１６０）とを備えることを要旨とする。
【０００９】
このような無線基地局は、各無線端末から受信した信号のうち、遅延量が、無線基地局における信号処理の可能な範囲を超えた信号（遅延超過信号）が存在する場合、当該遅延超過信号の送信元の無線端末に割り当てられている上りタイムスロットを拡張する。更に、無線基地局は、遅延超過信号の送信元の無線端末の通信方式と、拡張された上りタイムスロットと重複する上りタイムスロットが割り当てられている無線端末の通信方式とを、空間分割多重（ＳＤＭＡ）に切り替える。
【００１０】
これにより、遅延超過信号の送信元の無線端末に割り当てられている上りタイムスロットが拡張され、これに伴い、受信ウィンドウも拡張されるため、無線基地局は、遅延超過信号の処理が可能となる。更に、上りタイムスロットが拡張されることにより、遅延超過信号と、拡張された上りタイムスロットと重複する上りタイムスロットによって伝送される他の信号とが衝突する可能性が生じるが、通信方式がＳＤＭＡに切り替わることにより、衝突を防止することが可能となる。
【００１１】
本発明の第２の側面は、前記複数の無線端末の空間分割多重に関する情報を解析する情報解析部（ＳＤＭＡ情報解析部１５６）と、前記情報解析部により解析された前記複数の無線端末の空間分割多重に関する情報に基づいて、前記切替部による前記空間分割多重への切り替えの可否を判定する判定部（通信方式切替部１６０）とを備えることを要旨とする。
【００１２】
本発明の第３の側面は、前記判定部は、前記空間分割多重への切り替えの対象となる２つ以上の前記無線端末が前記空間分割多重成立の条件を満たす場合に、前記切替部による前記空間分割多重への切り替えが可能であると判定することを要旨とする。
【００１３】
本発明の第４の側面は、前記拡張部は、前記受信部により受信された前記複数の信号のうち、対応するデータに含まれるユニークワードの時間位置と基準位置との差が所定範囲を超える信号の送信元の前記無線端末に割り当てられている前記上りタイムスロットを拡張することを要旨とする。
【００１４】
本発明の第５の側面は、複数の無線端末との間で信号を伝送する無線基地局における通信制御方法であって、前記無線基地局が、前記複数の無線端末に割り当てられた時分割多重の通信方式における上りタイムスロットを用いて伝送される複数の信号を受信するステップと、前記無線基地局が、受信された前記複数の信号のうち、遅延量が前記無線基地局における信号処理の可能な範囲を超えた信号である遅延超過信号の送信元の前記無線端末に割り当てられている前記上りタイムスロットを拡張するステップと、前記無線基地局が、前記遅延超過信号の送信元の前記無線端末の通信方式と、前記拡張部により拡張された上りタイムスロットと重複する前記上りタイムスロットが割り当てられている前記無線端末の通信方式とを、空間分割多重に切り替えるステップとを備えることを要旨とする。
【発明の効果】
【００１５】
本発明によれば、無線基地局において、各無線端末からの信号の処理の確実性を向上させることが可能となる。
【図面の簡単な説明】
【００１６】
【図１】本発明の実施形態に係る無線通信システムの全体概略構成図である。
【図２】本発明の実施形態に係るフレームの構成を示す図である。
【図３】本発明の実施形態に係る無線基地局の概略構成図である。
【図４】本発明の実施形態に係る、無線基地局における制御部及び無線通信部の機能ブロック構成図である。
【図５】本発明の実施形態に係る無線基地局の動作を示すフローチャートである。
【図６】本発明の実施形態に係る受信データの構成を示す図である。
【図７】本発明の実施形態に係る通信方式決定の一例を示す図である。
【図８】本発明の実施形態に係る無線基地局によるＳＤＭＡでのビーム設定の一例を示す図である。
【発明を実施するための形態】
【００１７】
次に、図面を参照して、本発明の実施形態を説明する。具体的には、（１）無線通信システムの構成、（２）無線基地局の動作、（３）作用・効果、（４）その他の実施形態について説明する。以下の実施形態における図面の記載において、同一又は類似の部分には同一又は類似の符号を付している。
【００１８】
（１）無線通信システムの構成
まず、本発明の実施形態に係る無線通信システムの構成について、（１．１）無線通信システムの全体概略構成、（１．２）無線基地局の構成の順に説明する。
【００１９】
（１．１）無線通信システムの全体概略構成
図１は、本発明の実施形態に係る無線通信システム１０の全体概略構成図である。
【００２０】
図１に示すように、無線通信システム１０は、ＰＨＳの無線通信システムである。この無線通信システム１０は、無線基地局１と、無線端末２Ａ、無線端末２Ｂ、無線端末２Ｃ及び無線端末２Ｄとを含む。図１において、無線端末２Ａ乃至２Ｄは、無線基地局１が提供するセル３に在圏している。無線基地局１と、無線端末２Ａ乃至２Ｄとは、当初、時分割複信及び時分割多重の通信方式により信号を伝送する。
【００２１】
無線基地局１は、無線端末２Ａ乃至２Ｄとの通信に先立って、これら無線端末２Ａ乃至２Ｄに対して、フレーム内のタイムスロットを割り当てる。
【００２２】
図２は、フレームの構成を示す図である。図２に示すように、フレームは、下り方向（無線基地局１から無線端末２Ａ乃至２Ｄに向かう方向）の通信に用いられる下り時間帯と、当該下り時間帯に続く、上り方向（無線端末２Ａ乃至２Ｄから無線基地局１に向かう方向）の通信に用いられる上り時間帯とからなり、下り時間帯が４つの下りタイムスロットＤ１乃至Ｄ４に分割され、上り時間帯が４つの上りタイムスロットＵ１乃至Ｕ４に分割されている。
【００２３】
初期状態においては、無線基地局１は、無線端末２Ａに対して、下りタイムスロットＤ１及び上りタイムスロットＵ１を割り当て、無線端末２Ｂに対して、下りタイムスロットＤ２及び上りタイムスロットＵ２を割り当てる。また、無線基地局１は、無線端末２Ｃに対して、下りタイムスロットＤ３及び上りタイムスロットＵ３を割り当て、無線端末２Ｄに対して、下りタイムスロットＤ４及び上りタイムスロットＵ４を割り当てる。無線端末２Ａ乃至２Ｄは、割り当てられた下りタイムスロットを用いて、無線基地局１からの信号を受信し、割り当てられた上りタイムスロットを用いて、無線基地局１へ信号を送信する。
【００２４】
（１．２）無線基地局の構成
次に、無線基地局１の構成について、（１．２．１）無線基地局の概略構成、（１．２．２）無線基地局の詳細構成の順に説明する。
【００２５】
（１．２．１）無線基地局の概略構成
図３は、無線基地局１の概略構成図である。図３に示すように、無線基地局１は、制御部１０２、記憶部１０３、有線通信部１０４、無線通信部１０６及びアンテナ１０８を含む。
【００２６】
制御部１０２は、例えばＣＰＵによって構成され、無線基地局１が具備する各種機能を制御する。記憶部１０３は、例えばメモリによって構成され、無線基地局１における制御などに用いられる各種情報を記憶する。
【００２７】
有線通信部１０４は、図示しない上位のネットワークにおけるゲートウェイサーバ等との間で通信を行う。無線通信部１０６は、ＲＦ回路、ベースバンド回路等を含み、変調及び復調、符号化及び復号等を行い、アンテナ１０８を介して無線信号の送信及び受信を行う。
【００２８】
（１．２．２）無線基地局の詳細構成
次に、無線基地局１の詳細構成、具体的には、制御部１０２及び無線通信部１０６の機能ブロック構成について説明する。図４は、無線基地局１の制御部１０２及び無線通信部１０６の機能ブロック構成図である。
【００２９】
図４に示すように、無線通信部１０６は、受信処理部１５２及びユニークワード検出部１５４を含む。また、制御部１０２は、ＳＤＭＡ情報解析部１５６、通信方式切替部１６０及び無線端末送信制御部１６２を含む。
【００３０】
無線通信部１０６内の受信処理部１５２は、無線端末２Ａ乃至２Ｄのそれぞれに割り当てられた、時分割多重の通信方式における上りタイムスロットを介して、当該無線端末２Ａ乃至２Ｄから送信された各信号を受信する。
【００３１】
更に、受信処理部１５２は、受信した各信号の復調及び復号を行って受信データを生成し、その都度、当該受信データをユニークワード検出部１５４へ出力する。
【００３２】
無線通信部１０６内のユニークワード検出部１５４は、各受信データを入力する。更に、ユニークワード検出部１５４は、入力した各受信データに含まれる同期データである、ユニークワードの時間位置を検出する。更に、ユニークワード検出部１５４は、各受信データを制御部１０２内のＳＤＭＡ情報解析部１５６へ出力し、当該受信データに対応する各ユニークワードの時間位置を、制御部１０２内の通信方式切替部１６０へ出力する。
【００３３】
制御部１０２内のＳＤＭＡ情報解析部１５６は、各受信データを入力する。次に、ＳＤＭＡ情報解析部１５６は、無線端末２Ａ乃至２Ｄからの各受信データを解析する。例えば、ＳＤＭＡ情報解析部１５６は、受信レベル強度、ＳＮＲ、各信号の相関等を解析する。更に、ＳＤＭＡ情報解析部１５６は、解析結果である、各受信データに対応する無線端末２Ａ乃至２ＤのＳＤＭＡ解析情報と、ユニークワードの時間位置とを、通信方式切替部１６０へ出力する。
【００３４】
通信方式切替部１６０は、各受信データに対応する無線端末２Ａ乃至２ＤのＳＤＭＡ解析情報と、ユニークワードの時間位置とを入力する。更に、通信方式切替部１６０は、各ユニークワードの時間位置と、ユニークワードのそれぞれについて定められた基準となる時間位置（基準時間位置）との差が所定範囲内であるか否かを判定する。ここで、基準時間位置は、無線基地局１によって受信される信号に遅延が生じていないと仮定した場合における、当該受信信号に対応する受信データ内のユニークワードの時間位置を示す。
【００３５】
ユニークワードの時間位置と基準時間位置との差が所定範囲を超える場合、当該ユニークワードに対応する信号の遅延量は、無線基地局１における信号処理の可能な範囲を超えている、換言すれば、受信ウィンドウの後側に外れているとみなされる。この場合、通信方式切替部１６０は、遅延量が無線基地局１における信号処理の可能な範囲を超えている信号（遅延超過信号）の送信元の無線端末に割り当てられている上りタイムスロットを、仮想的に当該上りタイムスロットの１つ前の上りタイムスロットまで拡張する。
【００３６】
更に、通信方式切替部１６０は、入力した無線端末２Ａ乃至２ＤのＳＤＭＡ解析情報に基づいて、仮想的に拡張した上りタイムスロットが割り当てられている無線端末のＳＤＭＡ解析情報と、仮想的に拡張した上りタイムスロットと重複する上りタイムスロット、換言すれば、仮想的に拡張した上りタイムスロットの１つ前の上りタイムスロットが割り当てられている無線端末のＳＤＭＡ解析情報とがＳＤＭＡ成立条件を満たすか否かを判定する。
【００３７】
２つの無線端末についてのＳＤＭＡ解析情報が、ＳＤＭＡ成立条件を満たす場合、すなわち、２つの無線端末がＳＤＭＡ成立条件を満たす場合、ＳＤＭＡを採用可能である。このため、通信方式切替部１６０は、遅延超過信号の送信元の無線端末に割り当てられている上りタイムスロットを、当該上りタイムスロットの１つ前の上りタイムスロットまで拡張する。更に、通信方式切替部１６０は、遅延超過信号の送信元の無線端末の通信方式と、当該拡張した上りタイムスロットと重複する上りタイムスロット、換言すれば、拡張した上りタイムスロットの１つ前の上りタイムスロットが割り当てられている無線端末の通信方式とをＳＤＭＡに切り替える。
【００３８】
更に、通信方式切替部１６０は、遅延超過信号の送信元の無線端末向けに、拡張した上りタイムスロットのタイミング及び時間長と、ＳＤＭＡの周波数とを含んだ第１通信方式情報を生成し、無線端末送信制御部１６２へ出力する。
【００３９】
また、通信方式切替部１６０は、拡張した上りタイムスロットの１つ前の上りタイムスロットが割り当てられている無線端末向けに、ＳＤＭＡの周波数を含んだ第２通信方式情報を生成し、無線端末送信制御部１６２へ出力する。
【００４０】
無線端末送信制御部１６２は、通信方式切替部１６０からの第１通信方式情報及び第２通信方式情報を入力する。次に、無線端末送信制御部１６２は、無線通信部１０６及びアンテナ１０８を介して、第１通信方式情報を、遅延超過信号の送信元の無線端末へ送信するとともに、第２通信方式情報を、拡張した上りタイムスロットの１つ前の上りタイムスロットが割り当てられている無線端末へ送信する。
【００４１】
（２）無線基地局の動作
次に、無線基地局１の動作を説明する。図５は、無線基地局１の動作を示すフローチャートである。なお、以下では、初期状態において、無線基地局１は、無線端末２Ａに対して、図２に示すフレーム内の下りタイムスロットＤ１及び上りタイムスロットＵ１を割り当て、無線端末２Ｂに対して、図２に示すフレーム内の下りタイムスロットＤ２及び上りタイムスロットＵ２を割り当てているものとする。
【００４２】
また、初期状態において、無線基地局１は、無線端末２Ｃに対して、図２に示すフレーム内の下りタイムスロットＤ３及び上りタイムスロットＵ３を割り当て、無線端末２Ｄに対して、図２に示すフレーム内の下りタイムスロットＤ４及び上りタイムスロットＵ４を割り当てているものとする。
【００４３】
無線端末２Ａ乃至２Ｄは、それぞれ割り当てられた上りタイムスロットを用いて、無線基地局１に対して信号を送信している。ステップＳ１０１において、無線基地局１内の無線通信部１０６は、無線端末２Ａ乃至２Ｄから送信され、アンテナ１０８によって受信された４つの信号を入力する。
【００４４】
ステップＳ１０２において、無線通信部１０６は、各信号を復調及び符号化して得られる受信データに含まれるユニークワード（ＵＷ）の時間位置を検出する。ここで、ユニークワードの時間位置は、当該ユニークワードの検出時刻を示す。
【００４５】
図６は、受信データの構成を示す図である。図６に示す受信データは、２４０ビットのビット長を有する。この受信データは、先頭から順に、４ビット長の過渡応答用ランプタイム（Ｒ）、２ビット長のスタートシンボル（ＳＳ）、６ビット長のプリアンプル（ＰＲ）、１６ビット長のユニークワード（ＵＷ）、１８０ビット長の情報、１６ビット長のＣＲＣ（Cyclic Redundancy Check）、１６ビット長のガードにより構成されている。
【００４６】
再び、図５に戻って説明する。ステップＳ１０３において、無線基地局１内の制御部１０２は、検出された各ユニークワードの時間位置のうち、対応する基準時間位置との差が所定範囲内であるユニークワードの時間位置が存在するか否かを判定する。
【００４７】
例えば、図７（ａ）では、上りタイムスロットＵ１乃至Ｕ４によって無線端末２Ａ乃至２Ｄから送信され、無線基地局１によって受信される信号＃１１乃至＃１４のうち、信号＃１２は、無線基地局１において上りタイムスロットＵ２に対応する受信ウィンドウ＃２の後側に外れており、無線基地局１は、信号＃１２を処理することができない。この場合、信号＃１２に対応するユニークワードの時間位置と、基準時間位置との差は所定範囲を超える。
【００４８】
基準時間位置との差が所定範囲を超えるユニークワードの時間位置が存在しない場合には、一連の動作が終了する。
【００４９】
一方、基準時間位置との差が所定範囲を超えるユニークワードの時間位置が存在する場合、ステップＳ１０４において、制御部１０２は、遅延超過信号の送信元の無線端末（第１無線端末）に割り当てられている上りタイムスロットを、仮想的に当該上りタイムスロットの１つ前の上りタイムスロットまで拡張する。
【００５０】
ステップＳ１０５において、制御部１０２は、無線端末２Ａ乃至２ＤのＳＤＭＡ解析情報に基づいて、第１無線端末と、仮想的に拡張した上りタイムスロットと重複する上りタイムスロット、換言すれば、仮想的に拡張した上りタイムスロットの１つ前の上りタイムスロットが割り当てられている無線端末（第２無線端末）とがＳＤＭＡ成立条件を満たすか否かを判定する。
【００５１】
第１無線端末と第２無線端末とがＳＤＭＡ成立条件を満たさない場合には、一連の動作が終了する。
【００５２】
一方、第１無線端末と第２無線端末とがＳＤＭＡ成立条件を満たす場合には、ステップＳ１０６において、制御部１０２は、第１無線端末に割り当てられている上りタイムスロットを、当該上りタイムスロットの１つ前の上りタイムスロットまで拡張する。
【００５３】
例えば、図７（ａ）に示すように、無線端末２Ｂから送信され、無線基地局１によって受信される信号＃１２が、無線基地局１において、上りタイムスロットＵ２に対応する受信ウィンドウ＃２の後側に外れている場合、制御部１０２は、上りタイムスロットＵ２を上りタイムスロットＵ１まで拡張する。これにより、図７（ｂ）に示すように、拡張した上りタイムスロットＵ２に対応する受信ウィンドウ＃２は拡張される。
【００５４】
なお、制御部１０２は、拡張された上りタイムスロットと重複する上りタイムスロットについても、拡張してもよい。この場合には、図７（ｃ）に示すように、拡張した上りタイムスロットＵ２と重複する上りタイムスロットＵ１も拡張され、当該拡張した上りタイムスロットＵ１に対応する受信ウィンドウ＃１は、受信ウィンドウ＃２と同様に拡張される。
【００５５】
次に、ステップＳ１０７において、制御部１０２は、第１無線端末の通信方式と、第２無線端末の通信方式とをＳＤＭＡに切り替える。これにより、無線基地局１は、第１無線端末の方向と、第２無線端末の方向とに、同一の周波数のビームを設定する。更に、無線基地局１は、第１無線端末に割り当てられた拡張した上りタイムスロットの時間帯において、当該第１無線端末の方向からの信号の受信を試みるとともに、第２無線端末に割り当てられた上りタイムスロットの時間帯において、当該第２無線端末の方向からの信号の受信を試みるとともに、例えば、制御部１０２が、無線端末２Ａと無線端末２Ｂの上り通信方式をＳＤＭＡに切り替える場合、図８に示すように、無線基地局１は、同一の周波数のビーム４Ａ及び４Ｂを設定し、ビーム４Ａを無線端末２Ａに向け、ビーム４Ｂを無線端末２Ｂに向ける。更に、無線基地局１は、上りタイムスロットＵ１の時間帯において、無線端末２Ａの方向からの信号の受信を試みるとともに、上りタイムスロットＵ２の時間帯において、無線端末２Ｂの方向からの信号の受信を試みる。
【００５６】
更に、ステップＳ１０８において、制御部１０２は、拡張した上りタイムスロットのタイミング及び時間長と、ＳＤＭＡの周波数とを含む第１通信方式情報を生成して、第１無線端末へ送信するとともに、ＳＤＭＡの周波数を含む第２通信方式情報を生成して、第２無線端末へ送信する。
【００５７】
無線端末２Ａ乃至２Ｄは、第１通信方式情報を受信した場合、拡張した上りタイムスロットの時間帯において、第１通信方式情報内のＳＤＭＡの周波数で信号を送信する。
【００５８】
また、無線端末２Ａ乃至２Ｄは、第２通信方式情報を受信した場合、割り当てられている上りタイムスロットの時間帯において、第２通信方式情報内のＳＤＭＡの周波数で信号を送信する。
【００５９】
（３）作用・効果
本発明の実施形態に係る無線通信システム１０において、無線端末２Ａ乃至２Ｄは、自身に割り当てられた上りタイムスロットを用いて信号を送信する。無線基地局１は、この信号を受信し、復調及び復号によって受信データを取得する。次に、無線基地局１は、受信データに含まれるユニークワードの時間位置を検出し、当該ユニークワードの時間位置と基準時間位置との差が所定範囲を超える場合には、当該ユニークワードに対応する信号である遅延超過信号が受信ウィンドウの後側に外れており、無線基地局１における信号処理が不可能になっているとみなす。
【００６０】
更に、無線基地局１は、遅延超過信号の送信元の無線端末に割り当てられている上りタイムスロットを、当該上りタイムスロットの１つ前の上りタイムスロットまで拡張するとともに、拡張した上りタイムスロットが割り当てられている無線端末の上り通信方式と、当該拡張した上りタイムスロットと重複する上りタイムスロットが割り当てられている無線端末の上り通信方式とをＳＤＭＡに切り替える。
【００６１】
これにより、遅延超過信号の送信元の無線端末に割り当てられている上りタイムスロットが拡張され、受信ウィンドウも拡張される。このため、無線基地局は、遅延超過信号を拡張された受信ウィンドウに収めることができ、当該遅延超過信号の処理が可能となる。更に、上りタイムスロットが拡張されることにより、遅延超過信号と、拡張された上りタイムスロットと重複する上りタイムスロットによって伝送される他の信号とが衝突する可能性が生じるが、通信方式がＳＤＭＡに切り替わることにより、衝突を防止することが可能となる。
【００６２】
また、無線基地局１は、拡張された上りタイムスロットが割り当てられる無線端末と、当該拡張された上りタイムスロットの１つ前の上りタイムスロットが割り当てられる無線端末とがＳＤＭＡ成立条件を満たす場合にのみ、ＳＤＭＡを採用可能であると判断し、これら２つの無線端末の通信方式をＳＤＭＡに切り替えており、適切な通信方式の切り替えが可能となる。
【００６３】
（４）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【００６４】
上述した実施形態では、図２及び図７に示すように、上り時間帯が４つの上りタイムスロットに分割される場合を例に説明したが、更に多くの上りタイムスロットに分割される場合においても、同様に本発明を適用することができる。
【００６５】
また、上述した実施形態では、無線基地局１は、遅延超過信号の送信元の無線端末に割り当てられている上りタイムスロットを、当該上りタイムスロットの１つ前の上りタイムスロットまで拡張する場合について説明したが、遅延量が大きいほど、拡張幅が大きくなるようにしてもよい。
【００６６】
また、無線基地局１は、遅延超過信号の送信元の無線端末に割り当てられている上りタイムスロットを、当該上りタイムスロットの２つ以上前の上りタイムスロットまで拡張してもよい。更には、無線基地局１は、遅延超過信号の送信元の無線端末に割り当てられている上りタイムスロットを、当該上りタイムスロットの後の上りタイムスロットまで拡張してもよい。
【００６７】
また、上りタイムスロットのうち、未割り当ての上りタイムスロットが存在する場合には、無線基地局１は、必要に応じて上りタイムスロットの割り当てを変更して、遅延超過信号の送信元の無線端末に割り当てられている上りタイムスロットの１つ前に未割り当ての上りタイムスロットが存在するようにし、遅延超過信号の送信元の無線端末に割り当てられている上りタイムスロットを、未割り当ての上りタイムスロットまで拡張するようにしてもよい。
【００６８】
このように本発明は、ここでは記載していない様々な実施形態等を包含するということを理解すべきである。したがって、本発明はこの開示から妥当な特許請求の範囲の発明特定事項によってのみ限定されるものである。
【産業上の利用可能性】
【００６９】
本発明の無線基地局及び通信制御方法は、無線基地局において、各無線端末からの信号の処理の確実性を向上させることが可能であり、無線基地局及び通信制御方法として有用である。
【符号の説明】
【００７０】
１…無線基地局、２Ａ〜２Ｄ…無線端末、３…セル、４Ａ…ビーム、４Ｂ…ビーム、１０…無線通信システム、１０２…制御部、１０３…記憶部、１０４…有線通信部、１０６…無線通信部、１０８…アンテナ、１５２…受信処理部、１５４…ユニークワード検出部、１５６…ＳＤＭＡ情報解析部、１６０…通信方式切替部、１６２…無線端末送信制御部
【図１】
2010177872.tif 000003
【図２】
2010177872.tif 000004
【図３】
2010177872.tif 000005
【図４】
2010177872.tif 000006
【図５】
2010177872.tif 000007
【図６】
2010177872.tif 000008
【図７】
2010177872.tif 000009
【図８】
2010177872.tif 000010